(57)【要約】  マイクロホンアダプタは、第１の端部と、第２の端部と、第１の端部から第２の端部に延在する開口部と、を有する本体を含む。第２の端部は、電気音響ドライバと連通している。連結機構は、検知用マイクロホンを受容し、マイクロホンを電気音響ドライバから既定の固定距離で本体に据え付けるために、本体の第１の端部にある。
2019524028.tif 000002
【特許請求の範囲】
【請求項１】
マイクロホンアダプタであって、
第１の端部と、第２の端部と、前記第１の端部から前記第２の端部に延在する開口部と、を有する本体であって、前記第２の端部が電気音響ドライバと連通している、本体と、
検知用マイクロホンを受容し、前記検知用マイクロホンを前記電気音響ドライバから既定の固定距離で前記本体に据え付けるための、前記本体の前記第１の端部にある連結機構と、
を含む、マイクロホンアダプタ。
【請求項２】
前記電気音響ドライバが、インイヤー型アクティブノイズリダクション（ＡＮＲ）ヘッドホンの一部である、請求項１に記載のマイクロホンアダプタ。
【請求項３】
前記本体が円筒形である、請求項１に記載のマイクロホンアダプタ。
【請求項４】
前記本体が、前記電気音響ドライバと一体であり、前記電気音響ドライバと同じ材料で形成されている、請求項１に記載のマイクロホンアダプタ。
【請求項５】
前記本体が、前記電気音響ドライバに取り外し可能に連結されている、請求項１に記載のマイクロホンアダプタ。
【請求項６】
前記電気音響ドライバに嵌合するため、前記本体の前記第２の端部にあるスナップ嵌め連結具を更に含む、請求項５に記載のマイクロホンアダプタ。
【請求項７】
前記検知用マイクロホンの音響開口部が、前記電気音響ドライバの長手方向に対して垂直であり、かつオフセットされており、前記検知用マイクロホンの本体が、前記本体の前記開口部を介して前記電気音響ドライバによって放射される音を実質的に妨げないように位置付けられている、請求項１に記載のマイクロホンアダプタ。
【請求項８】
前記検知用マイクロホンが、前記電気音響ドライバの振動板に対して位置合わせされており、前記検知用マイクロホンの振動板の運動方向が、前記電気音響ドライバの前記振動板の意図された運動方向に対して垂直である、請求項１に記載のマイクロホンアダプタ。
【請求項９】
音響開口部を含む前記検知用マイクロホンの前面が、前記電気音響ドライバの前記振動板の意図された運動方向に平行である、請求項８に記載のマイクロホンアダプタ。
【請求項１０】
ノイズキャンセリングヘッドホンであって、
第１の端部と、第２の端部と、前記第１の端部から前記第２の端部に延在する開口部と、を有するマイクロホンアダプタと、
不必要な音響ノイズ信号を検出し、前記不必要な音響ノイズ信号をマイクロホン電気信号に変換するための、前記マイクロホンアダプタの前記第１の端部にある検知用マイクロホンと、
前記マイクロホン電気信号に応答して前記不必要な音響ノイズ信号を減衰させるキャンセリング信号を生成するための、前記マイクロホンアダプタの前記第２の端部にある電気音響ドライバと、
を含み、前記マイクロホンアダプタは、前記検知用マイクロホンを前記電気音響ドライバからの既定の固定距離に位置付けるために構成され、配置されている、ノイズキャンセリングヘッドホン。
【請求項１１】
前記ノイズキャンセリングヘッドホンが、インイヤー型アクティブノイズリダクション（ＡＮＲ）ヘッドホンである、請求項１０に記載のノイズキャンセリングヘッドホン。
【請求項１２】
前記電気音響ドライバが、
バスケットと、
前記バスケット内の開口部を覆う振動板と、
前記バスケット内のサブアセンブリと、
を含み、前記マイクロホンアダプタは、前記検知用マイクロホンを、前記振動板又は前記サブアセンブリのうちの少なくとも１つに対する既定の位置及び角度に位置付けるように構成され、配置されている、請求項１０に記載のノイズキャンセリングヘッドホン。
【請求項１３】
前記マイクロホンアダプタが、前記バスケットにスナップ嵌めされている、請求項１２に記載のノイズキャンセリングヘッドホン。
【請求項１４】
前記検知用マイクロホンが、検知面を含み、前記検知面の角度が、前記振動板に対して約９０度である、請求項１２に記載のノイズキャンセリングヘッドホン。
【請求項１５】
前記検知用マイクロホンの面が、前記不必要な音響ノイズ信号を受信するための音響開口部を含み、前記音響開口部が、前記振動板の音響放射体変位の移動方向に対して実質的に垂直である方向に延在している、請求項１２に記載のノイズキャンセリングヘッドホン。
【請求項１６】
前記検知用マイクロホンの前記音響開口部が、前記電気音響ドライバに近位であり、前記検知用マイクロホンの本体が、前記電気音響ドライバによって放射される音を実質的に妨げないように位置付けられている、請求項１５に記載のノイズキャンセリングヘッドホン。
【請求項１７】
前記サブアセンブリが、前記振動板に連結されたボビン、磁石、及び前記ボビンの周りのボイスコイルを含む、請求項１２に記載のノイズキャンセリングヘッドホン。
【請求項１８】
前記検知用マイクロホンが、前記ボビンと前記バスケットとの間に位置付けられている、請求項１７に記載のノイズキャンセリングヘッドホン。
【請求項１９】
前記検知用マイクロホンが、前記ボイスコイルと前記バスケットとの間に位置付けられている、請求項１７に記載のノイズキャンセリングヘッドホン。
【請求項２０】
前記検知用マイクロホンが、前記ボイスコイルの真上に位置付けられている、請求項１７に記載のノイズキャンセリングヘッドホン。
【請求項２１】
前記振動板が、中心部及び縁部を含み、前記中心部が、前記縁部より大きい剛性特性を有し、前記検知用マイクロホンは、前記中心部が着用者の耳道に直接露出されるように、周縁部の上に位置付けられている、請求項１２に記載のノイズキャンセリングヘッドホン。
【請求項２２】
前記検知用マイクロホンが、前記振動板の前記中心部と前記縁部との間の接合部にある、請求項２１に記載のノイズキャンセリングヘッドホン。
【請求項２３】
前記検知用マイクロホンが、前記振動板の前記縁部に対して位置合わせされている、請求項２２に記載のノイズキャンセリングヘッドホン。
【請求項２４】
前記検知用マイクロホンが、前記振動板の前記中心部と前記縁部との間の接合部に対して接線方向にある、請求項２３に記載のノイズキャンセリングヘッドホン。
【請求項２５】
前記電気音響ドライバが、前記振動板と前記バスケットとの間のサラウンドを更に含み、前記検知用マイクロホンが、前記サラウンドと前記振動板との間の接合部にある、請求項１２に記載のノイズキャンセリングヘッドホン。
【請求項２６】
前記マイクロホンが、前記サラウンドと前記振動板との間の前記接合部に対して接線方向にある、請求項２６に記載のノイズキャンセリングヘッドホン。
【請求項２７】
前記検知用マイクロホンが、微小電気機械システム（ＭＥＭＳ）マイクロホン又はコンデンサマイクロホンである、請求項１０に記載のノイズキャンセリングヘッドホン。
【請求項２８】
前記マイクロホンアダプタが、前記検知用マイクロホンを受容し、前記検知用マイクロホンを前記電気音響ドライバから既定の固定距離に据え付けるための、前記第１の端部にある連結機構を含む、請求項１０に記載のノイズキャンセリングヘッドホン。
【請求項２９】
ノイズキャンセリングヘッドホンであって、
第１の端部と、第２の端部と、前記第１の端部から前記第２の端部に延在する開口部と、を有するマイクロホンアダプタと、
不必要な音響ノイズ信号を検出し、前記不必要な音響ノイズ信号をマイクロホン電気信号に変換するための、前記マイクロホンアダプタの前記第１の端部にある検知用マイクロホンと、
前記マイクロホン電気信号に応答して前記不必要な音響ノイズ信号を減衰させるキャンセリング信号を生成するための、前記マイクロホンアダプタの前記第２の端部にある電気音響ドライバと、
を含み、前記検知用マイクロホンは、前記電気音響ドライバの長手方向に対して垂直であり、かつオフセットされており、前記マイクロホンアダプタの前記開口部を介して前記電気音響ドライバによって放射される音を実質的に妨げないように位置付けられている、ノイズキャンセリングヘッドホン。
【発明の詳細な説明】
【技術分野】
【０００１】
[関連出願]
この出願は、その全体が参照により本明細書に組み込まれている「Ｆｅｅｄｂａｃｋ  Ｍｉｃｒｏｐｈｏｎｅ  Ａｄａｐｔｏｒ  ｆｏｒ  Ｎｏｉｓｅ  Ｃａｎｃｅｌｉｎｇ  Ｈｅａｄｐｈｏｎｅ」という名称の２０１６年６月１４日出願の米国特許出願第１５／１８２，０３９号の優先権及び利益を主張する。
【背景技術】
【０００２】
この説明は、概してノイズキャンセリングヘッドホンに、より具体的には、マイクロホンをインイヤー型ヘッドホンの電気音響ドライバから既定の距離に位置付けるためのシステム及び方法に関する。
【発明の概要】
【課題を解決するための手段】
【０００３】
一態様によれば、マイクロホンアダプタであって、第１の端部と、第２の端部と、第１の端部から第２の端部に延在する開口部と、を有する本体であって、第２の端部が電気音響ドライバと連通している、本体と、検知用マイクロホンを受容し、電気音響ドライバからの既定の固定距離でマイクロホンを本体に据え付けるための、本体の第１の端部にある連結機構と、を含む、マイクロホンアダプタが提供される。
【０００４】
態様は、下記の特徴のうちの１つ以上を含むことができる。
電気音響ドライバは、インイヤー型アクティブノイズリダクション（ＡＮＲ）ヘッドホンの一部であってもよい。
【０００５】
本体は円筒形であってもよい。
【０００６】
本体は、電気音響ドライバと一体であってもよく、かつ電気音響ドライバと同じ材料で形成されてもよい。
【０００７】
本体は、電気音響ドライバに取り外し可能に連結されてもよい。
【０００８】
マイクロホンアダプタは、電気音響ドライバに嵌合するため、本体の第２の端部にスナップ嵌め連結具を更に含んでもよい。
【０００９】
検知用マイクロホンの音響開口部は、電気音響ドライバの長手方向に対して垂直であり、かつオフセットされていてもよい。検知用マイクロホンの本体は、本体の開口部を介して電気音響ドライバによって放射される音を実質的に妨げないように位置付けられてもよい。
【００１０】
検知用マイクロホンは、電気音響ドライバの振動板に対して位置合わせされてもよい。マイクロホンの振動板の運動方向は、電気音響ドライバの振動板の意図された運動方向に対して垂直であってもよい。
【００１１】
音響開口部を含む検知用マイクロホンの前面は、電気音響ドライバの振動板の意図された運動方向と平行であってよい。
【００１２】
一態様によれば、ノイズキャンセリングヘッドホンであって、第１の端部と、第２の端部と、第１の端部から第２の端部に延在する開口部と、を有するマイクロホンアダプタと、不必要な音響ノイズ信号を検出して、不必要な音響ノイズ信号をマイクロホン電気信号に変換するための、マイクロホンアダプタの第１の端部にある検知用マイクロホンと、マイクロホン電気信号に応答して不必要な音響ノイズ信号を減衰させるキャンセリング信号を生成するための、マイクロホンアダプタの第２の端部にある電気音響ドライバと、を含み、アダプタは、検知用マイクロホンを電気音響ドライバからの既定の固定距離に位置付けるように構成され、配置されている、ノイズキャンセリングヘッドホンが提供される。
【００１３】
態様は、下記の特徴のうちの１つ以上を含むことができる。
ノイズキャンセリングヘッドホンは、インイヤー型アクティブノイズリダクション（ＡＮＲ）ヘッドホンであってもよい。
【００１４】
電気音響ドライバは、バスケットと、バスケット内の開口部を覆う振動板と、バスケット内のサブアセンブリと、を含んでもよく、アダプタは、検知用マイクロホンを、振動板又はサブアセンブリのうちの少なくとも１つに対する既定の位置及び角度に位置付けるように構成され、配置されている。
【００１５】
マイクロホンアダプタは、バスケットにスナップ嵌めされてもよい。
【００１６】
検知用マイクロホンは、検知面を含んでもよい。検知面の角度は、振動板に対して約９０度であってもよい。
【００１７】
検知用マイクロホンの面は、不必要な音響ノイズ信号を受信するための音響開口部を含んでもよい。音響開口部は、振動板の音響放射体変位の移動方向に対して実質的に垂直な方向に延在してもよい。
【００１８】
検知用マイクロホンの音響開口部は、電気音響ドライバの近位であってもよい。検知用マイクロホンの本体は、電気音響ドライバによって放射される音を実質的に妨げないように位置付けられてもよい。
【００１９】
サブアセンブリは、振動板に連結されたボビン、磁石、及びボビンの周りのボイスコイルを含んでもよい。
【００２０】
検知用マイクロホンは、ボビンとバスケットとの間に位置付けられてもよい。
【００２１】
検知用マイクロホンは、ボイスコイルとバスケットとの間に位置付けられてもよい。
【００２２】
検知用マイクロホンは、ボイスコイルの上に直接位置付けられてもよい。
【００２３】
振動板は、中心部及び縁部を含んでもよく、中心部は、縁部よりも高い剛性特性を有する。マイクロホンは、中心部が着用者の耳道に直接露出されるように、周縁部の上に位置付けられてもよい。
【００２４】
マイクロホンは、振動板の中心部と縁部との間の接合部にあってもよい。
【００２５】
マイクロホンは、振動板の縁部に対して位置合わせされてもよい。
【００２６】
マイクロホンは、振動板の中心部と縁部との間の接合部に対して接線方向であってもよい。
【００２７】
電気音響ドライバは、振動板とバスケットとの間のサラウンドを更に含んでもよく、マイクロホンは、サラウンドと振動板との間の接合部にある。
【００２８】
マイクロホンは、サラウンドと振動板との間の接合部に対して接線方向であってもよい。
【００２９】
検知用マイクロホンは、微小電気機械システム（ＭＥＭＳ）マイクロホン又はコンデンサマイクロホンであってもよい。
【００３０】
マイクロホンアダプタは、検知用マイクロホンを受容し、マイクロホンを電気音響ドライバから既定の固定距離に据え付けるための、第１の端部にある連結機構を含んでもよい。
【００３１】
別の態様では、ノイズキャンセリングヘッドホンであって、第１の端部と、第２の端部と、第１の端部から第２の端部に延在する開口部と、を有するマイクロホンアダプタと、不必要な音響ノイズ信号を検出して、不必要な音響ノイズシグナルをマイクロホン電気信号に変換するための、マイクロホンアダプタの第１の端部にある検知用マイクロホンと、マイクロホン電気信号に応答して不必要な音響ノイズ信号を減衰させるキャンセリング信号を生成するための、マイクロホンアダプタの第２の端部にある電気音響ドライバと、を含み、検知用マイクロホンは、電気音響ドライバの長手方向に対して垂直であり、かつオフセットされており、マイクロホンアダプタの開口部を介して電気音響ドライバによって放射される音を実質的に妨げないように位置付けられている、ノイズキャンセリングヘッドホンが提供される。
【図面の簡単な説明】
【００３２】
本発明の概念の実施例の上記及び更なる利点は、添付の図面と共に下記の記述を参照することによって一層よく理解できであろう。様々な図において同一の数字は同一の構造的要素及び機能を示す。図面は必ずしもスケーリングされておらず、むしろ、機能及び実施形態の原理を説明することに重点が置かれている。
【図１Ａ】いくつかの実施例による、マイクロホンアダプタに連結されたマイクロホンの斜視図である。
【図１Ｂ】マイクロホンアダプタとは分離している、図１Ａのマイクロホンの斜視図である。
【図２Ａ】いくつかの実施例による、ノイズキャンセリングヘッドホンの断面正面図である。
【図２Ｂ】図２Ａのノイズキャンセリングヘッドホンの断面斜視図である。
【図３】いくつかの実施例による、電気音響ドライバに対するマイクロホンの向きを示す、ノイズキャンセリングヘッドホンの断面平面図である。
【図４】いくつかの実施例による、マイクロホンアダプタに連結されたコンデンサマイクロホンの斜視図である。
【図５Ａ】他の実施例による、マイクロホンアダプタに連結されたマイクロホンの斜視図及び平面図である。
【図５Ｂ】他の実施例による、マイクロホンアダプタに連結されたマイクロホンの斜視図及び平面図である。
【発明を実施するための形態】
【００３３】
現代のインイヤー型ヘッドホン、すなわちイヤホンは、典型的に、周囲の空気を押して、ユーザーに出力される音を生成する振動板に取り付けられた、電気音響ドライバ又は変換器と称されるマイクロスピーカを含む。その際に、マイクロスピーカは、装置が使用される全周波数範囲に亘って十分な音圧を発生させなければならない。
【００３４】
アクティブノイズリダクション（ＡＮＲ）ヘッドセットなどの一定のヘッドセットは、ヘッドセットの前側空洞上のドライバの近くに位置付けられた、検知用マイクロホンとも称されるフィードバックマイクロホンを含む。ヘッドセットが着用者の耳に入れられると、検知用マイクロホンは、周囲ノイズを検出し、ドライバに一組の信号を送信することができ、その信号から一組のドライバ電子機器が、望ましくないノイズを減衰させるために使用される「アンチノイズ信号」、すなわち周囲ノイズを有する位相からの音パターンを発生させ得る。
【００３５】
従来のＡＮＲヘッドホンでは、マイクロホンは、ヘッドホンの壁又はハウジングに装着される。マイクロホンの位置は、ドライバ出力に影響を与え、着用者の耳でどの程度のキャンセルが行われるかに重要である。例えば、マイクロホンがドライバの真上に置かれると、マイクロホンの本体は、ドライバから鼓膜に送達される音を妨げ得る。更に、マイクロホン音響導入孔がドライバの方向を向いている場合、マイクロホンは、同じく本体による音の遮断によって、耳道に伝送されるノイズを適切に検知することができず、そのため、ノイズキャンセリング性能に悪影響を及ぼす。音響導入孔がドライバの反対側を向いている場合、音がドライバからマイクロホンに移動するのに時間が掛かり、それゆえ、ノイズキャンセル信号の帯域幅が減少する。
【００３６】
一方、ドライバとマイクロホンとが直接連結されていない構成で、マイクロホンがヘッドセットの前面空洞壁に沿って置かれている場合、製造公差により、装置間でドライバとマイクロホンとの間の距離により多くの変動が存在し得、その結果、ドライバからマイクロホンに移動する信号の伝播遅延により多くの変動が生じ得る。アクティブシステムが装置上で安定することを保証するため、帯域幅は、遅延のより多くの変動に適応するように減少される必要がある。
【００３７】
ドライバの側面（ただし、ドライバの上方ではない）にマイクロホンを位置付けると、同様に、音がドライバからマイクロホンに移動する時間が増し、それゆえ、ノイズキャンセルの帯域幅が減少し得る。
【００３８】
図１Ａ及び図１Ｂを参照すると、マイクロホンアダプタ１０が、電気音響ドライバ２０のできるだけ近くにマイクロホン１２又は関連するセンサを位置付けるために提供されている。１つのドライバ構成が示されているが、マイクロホンアダプタ１０は、図１Ａ及び図１Ｂに示されているドライバ２０との連結に限定されるものではなく、他のドライバアセンブリも等しく適用され得る。マイクロホン１２又は関連するセンサは、音信号を検出し、音信号に比例する電圧又は電流を生成し得るが、更に、動作中にドライバから鼓膜に送達される音を妨げない。この構成はまた、耳開口部で適切なキャンセルを提供し、インイヤー型ヘッドホンによる周囲ノイズを減衰させるために望ましい。マイクロホンアダプタ１０は、音を検知する、変換する、又は「聴く」と同時に、例えば、図２Ａ、図２Ｂ及び図３に示す、ドライバを基準にした所望の位置及び／又は角度にマイクロホンを正確に保持するように構成され、配置される。より具体的には、音圧は、アダプタ１０の本体５０への開口部と本体５０内のドライバの振動板２４との間のアダプタ前側空洞２１内で検出され、変換され得る。ドライバが第２の端部５３の開口部の別の部分を介して第２の端部５３に挿入されている場合、前側空洞２１は、本体５０の第１の端部５１に又はその近くにあるアダプタ開口部の一部から形成され得る。アダプタ１０は、前側空洞壁にマイクロホン１２を固定する必要性を排除する。
【００３９】
いくつかの実施例では、ドライバ２０は、ＡＮＲヘッドセット内の電気音響変換器である。これを達成するために、マイクロホンアダプタ１０は、アダプタ１０に剛性及び構造を提供するステンレス鋼又は他の材料で形成され、アダプタ１０が、振動板２４、及び／又はドーム、サラウンドなどのドライバ要素を保護することを可能にし得る。いくつかの実施例では、マイクロホンアダプタ１０は、アダプタ１０が連結される又は一体である変換器スリーブ２２と同じ又は類似の材料で形成される。
【００４０】
アダプタ本体５０は、示されているような円筒形であってもよいが、これに限定されない。アダプタ１０の本体５０は、検知用マイクロホン１２が連結される第１の端部５１と、電気音響ドライバが連結される第２の端部５３と、を含む。マイクロホンアダプタ１０はまた、第１の端部５１から第２の端部５３に延在する開口部を有する。アダプタ１０は、したがって、第２の端部５３で電気音響ドライバに連結するために構成され、配置される。その際に、検知用マイクロホン１２は、電気音響ドライバ、特に振動板２４及び／若しくはボイスコイル、サラウンド、ボビン、スリーブ（ハウジング、エンクロージャ又はバスケットとも称される）、又はこれらの組み合わせなどのドライバ要素からの既定の固定距離及び向きに位置付けられる。
【００４１】
第１の端部５１は、マイクロホン１２又は関連するＡＮＲセンサが取り外し可能に位置付けられ得る、境界面空洞５２、すなわち、切欠き、開口部などを含む。境界面空洞５２（前側空洞２１とは異なる）は、アダプタ１０の境界面空洞５２内にマイクロホン１２を確実に位置付けるための連結機構５５を含んでもよい。図２Ａに示すように、マイクロホン検知面の表面、例えば、マイクロホン１２の前面１３は、連結機構５５に対して位置付けられてもよい。マイクロホン１２は、接着剤又は他の結合技法によって連結機構５５に取り付けられてもよい。
【００４２】
いくつかの例では、図４に示すように、マイクロホンアダプタ６０は、コンデンサマイクロホン１２などを受容し、位置付けるための基部６１及び上部６２を含んでもよい。ここで、上部６２は、振動板２４の一部を覆ってもよく、マイクロホン１２が、振動板２４の露出部分の上方に位置付けられることを可能にする。マイクロホン１２の大きさ及び形状は、アダプタ６０に対するマイクロホン１２の向きの空間的な制約を確立し得る。それに応じて、マイクロホン１２は、ラジエータアタッチメントに対する、ボイスコイル３５の真上の振動板２４の音響放射面の最も硬い領域上に好ましくは位置付けられ得る。例えば、図２Ａに示すように、領域（Ｒ）は、ボイスコイル３５によって生成された力がボイスコイルボビン３３によって音響放射面２４Ａに伝達される場所である。ここで、ラジエータアタッチメントは、ボイスコイル／ボビンアセンブリと音響放射面２４Ａとの間の境界面（Ｒ）である。この領域（Ｒ）は常に、ボビン３３の構造補強による、ラジエータ面の最も剛性の高いものとなる。マイクロホン１２の前面１３にある音響導入孔１４、すなわち音響開口部は、ボイスコイルの真上にある（図２Ａ及び図２Ｂに示す）。
【００４３】
マイクロホンアダプタ１０の第２の端部５３は、ドライバスリーブ２２に嵌合してもよい。例えば、図５Ａ及び図５Ｂのヘッドホン２００に示すように、マイクロホンアダプタ１０は、ドライバスリーブ２２内の溝部又は切欠き５６に嵌合する又はスナップ嵌めされる、突出縁部７２、リップ、又は関連するスナップ嵌め連結具を含んでもよい。他の例では、図２Ａ及び図２Ｂに示すように、第２の端部５３は、電気音響変換器のスリーブ、ハウジング、バスケット、又は他のエンクロージャに結合する、ないしは別の方法で連結するために構成され、配置される。
【００４４】
いくつかの実施例では、アダプタ空洞５２に位置付けられているときのマイクロホン１２は、アダプタ１０の第１の端部５１の表面に対して９０度、又は接線方向に配向される。マイクロホン１２は、使用者の耳道とマイクロホンアダプタ１０が連結される電気音響ドライバとの間の音響経路に対してインピーダンスを最小化する、ないしは別の方法でＡＮＲ性能を最適化するために、この方法で配向される。より具体的には、図２Ａに示すように、マイクロホン音響導入孔１４は、ドライバ２０のボイスコイルと同じ平面又は軸に実質的に沿って位置合わせされる。あるいは、図３に示すように、マイクロホン音響導入孔１４は、ボイスコイルと同じ円に沿って位置付けられる。マイクロホン導入孔１４は、遅延を最小化するために最小オフセット距離、すなわちボイスコイルに対するオフセットを有してもよい。
【００４５】
いくつかの実施例では、マイクロホンアダプタ１０は、ドライバスリーブ２２の端部に連結される、スピーカドライババスケットとして機能し、振動板２４、ドーム、サラウンド、及び／又は関連する要素を、例えば、ステンレス鋼又は類似の材料で形成される、アダプタ１０の剛性の堅固な構造、及びこれらの主要ドライバ要素とのその位置合わせにより、損傷から保護する。
【００４６】
他の実施例では、マイクロホンアダプタ１０は、ドライバスリーブと一体である、例えば、ドライバスリーブの端部から延在する又はその一部である、バスケットを含む。
【００４７】
図２Ａ及び２Ｂに示すように、ノイズキャンセリングインイヤー型ヘッドホン１００は、電気音響変換器２０に連結されたマイクロホンアダプタ１０と、マイクロホンアダプタ１０の所定の位置に保持されたマイクロホン１２と、を含んでもよい。電気音響変換器２０は、限定するものではないが、スリーブ２２、スリーブ２２の端部を覆う振動板２４、音響サブアセンブリ３０、及び背面板３８を含んでもよい。サブアセンブリ３０は、限定されるものではないが、振動板２４に結合されたボビン３３、磁石３２、及びボビン３３の周りのボイスコイル３５を含んでもよい。磁石３２は、前面振動板２４と、ボイスコイル３５と、ボビン３３と、背面板３８と、の間に位置付けられる。プリント回路基板（ＰＣＢ）（図示せず）は、振動板２４が位置付けられている端部の反対側になるスリーブ２２の端部に位置付けられてもよい。ＰＣＢは、例えば周囲ノイズの検知に応答して、マイクロホン１２によって生成されるマイクロホン信号を受信して処理し、かつ、全体的なノイズレベルを軽減するために変換器２０によって出力用に既存の周囲ノイズと混合又は合成され得る、キャンセリング音波を提供する、音響処理電子機器を含んでもよい。その際に、ＰＣＢは、マイクロホン１２と変換器２０との間のＡＮＲ閉ループ制御回路を提供して、望ましくないノイズをキャンセルする、ないしは別の方法で減衰させ、それによって変換器２０が改善された音を着用者の耳に出力できるようにし得る。ＰＣＢは、空洞２７がＰＣＢと、背板３８と、スリーブ２２の最外端と、の間に形成されるように、背板３８から所定の距離だけ分離されてもよい。
【００４８】
振動板２４は、錐体、ドーム、平面シート（図示せず）、又は他の形状であってもよい。振動板２４は、ボビン３３に取り付けられてもよい。振動板は、シリコーン、ポリマー、又は他の可撓性柔軟材料から形成されてもよい。いくつかの実施例では、振動板２４は、示されているようにスリーブ２２への開口部に沿って延在し、スリーブ２２に取り付けられる。他の実施例では、サラウンドなどは、サラウンドなどが振動板２４とスリーブ２２との間になるように、スリーブ２２の外辺部の周りに位置付けられる。
【００４９】
マイクロホン１２は、アダプタ１０の前側空洞２１内で音響ノイズ信号、例えば、外部環境から空洞２１に入る望ましくない周囲音を検出するように構成され、配置される。アダプタ１０が変換器２０に連結されると、アダプタ１０は、振動板２４の周りの変換器２０の空洞の長さ又は他の寸法を拡張して、例えば、マイクロホン１２をアダプタ１０のない変換器２０よりも着用者の耳道近くに位置付けられるようにし得る。マイクロホン１２は、受信した音響ノイズ信号をアクティブノイズリダクション、ノイズキャンセリング、ノイズ抑圧などに使用するマイクロホン信号に変換する。いくつかの実施例では、マイクロホン１２は、例えば、超小型エレクトレットコンデンサマイクロホンなどのコンデンサマイクロホン（図４を参照のこと）又は関連するマイクロホンであるが、これに限定されない。他の実施例では、マイクロホン１２は、微小電気機械（ＭＥＭＳ）マイクロホン、又は周囲ノイズに敏感な任意のマイクロホンであり得る。
【００５０】
本明細書に記載するように、マイクロホンアダプタ１０は、マイクロホン１２を、電気音響変換器の振動板２４Ａ、２４Ｂ（概して２４）に対する既定の位置及び角度に位置付けるように構成される。マイクロホンアダプタ１０は、瞬間的に周波数及び振幅プロファイルをピックアップするために、また、伝達遅延により発生し得る位相の遅れを最小化するために、変換器２０の振動板２４と着用者との間に形成される前面空洞２１に位置付けられ、これは、マイクロホンと電気音響変換器２０との間の距離を最適化することによって達成され得る。
【００５１】
いくつかの実施例では、アダプタ空洞５２に位置付けられているときのマイクロホン１２は、アダプタ１０の第１の端部５１の表面に対して９０度、又は接線方向に配向される。他の実施例では、マイクロホン１２の前面１３又はマイクロホン１２内の開口部は、マイクロホン開口部を介して受信する音圧に敏感な、マイクロホン１２内の振動板に対して位置合わせされる。このように、マイクロホンの振動板の振動板の運動方向は、スリーブ２２の端部を覆うドライバ振動板２４の運動方向に対して実質的に垂直である。関連する一実施例では、マイクロホン１２の構成の前面は、ドライバ振動板２４の意図された運動方向に平行である。マイクロホン１２は、使用者の耳道とマイクロホンアダプタ１０が連結される電気音響ドライバとの間の音響経路に対してインピーダンスを最小化する、ないしは別の方法でＡＮＲ性能を最適化するために、この方法で配向される。
【００５２】
図２Ａ及び図２Ｂに示すように、マイクロホン１２は、振動板２４より着用者の耳道の近くになるように、アダプタ１０内に位置付けられ、例えば、アダプタの前側空洞２１がマイクロホン１２によって妨害されないように、アダプタ１０の円筒壁の一部内に位置付けられる。
【００５３】
いくつかの実施例では、振動板２４は、中心部２４Ａと、周縁部又は縁部２４Ｂと、を含む。振動板の周縁部２４Ｂは、ボビン３３から延在してもよい。振動板の中心部２４Ａは、縁部２４Ｂよりも大きい硬度又は関連する剛性特性を有してもよい。異なる硬度又は関連する特徴を有する振動板の領域を形成するための処理が適用されてもよい。他の実施例では、周縁部２４Ｂは、代わりに、振動板２４Ａとスリーブ２２との間に位置付けられ得るサラウンドなどであってもよい。ここで、サラウンド２４Ａ及び振動板２４Ｂは、異なる材料、又は異なる剛性、弾性、若しくは関連する特性を有する同じ若しくは類似の材料で形成されてもよい。
【００５４】
図２Ｂに示すように、磁石３２がボイスコイル３５の内側に位置付けられるいくつかの実施例では、スリーブ２２の外径は、約８ｍｍ未満である。いくつかの実施例では、スリーブ２２は、約４．５ｍｍ未満の外径を有する。他の実施例では、スリーブ２２は、約３．０ｍｍ〜４．５ｍｍの外径を有する。他の実施例では、スリーブ２２は、約３．３ｍｍ〜４．２ｍｍの外径を有する。他の実施例では、スリーブ２２は、約３．６ｍｍ〜３．９ｍｍの外径を有する。他の実施例では、磁石３２は、約１．５ｍｍ〜４．５ｍｍの直径を有する。他の実施例では、磁石３２は、約２．０ｍｍ〜４．０ｍｍの直径を有する。他の実施例では、磁石３２は、約２．５ｍｍ〜３．５ｍｍの直径を有する。いくつかの例では、ドライバの全断面積に対する放射面積の比は約０．７である。いくつかの例では、ドライバの全断面積に対する放射面積の比は、０．５７〜０．７である。いくつかの例では、ドライバの全断面積に対する放射面積の比は、０．６〜０．６７である。いくつかの例では、ドライバの全断面積に対する放射面積の比は、０．６２〜０．６５である。
【００５５】
マイクロホンアダプタ１０の境界面空洞５２は、アダプタ１０がスリーブ２２上に位置付けられているときに、ボビン３３とスリーブ２２との間で振動板縁部２４Ｂ上に位置付けられるように、アダプタ１０の壁から距離（Ａ）だけオフセットされる。それに応じて、マイクロホン１２は、ボビン３３とスリーブ２２との間の振動板の縁部２４Ｂ上に位置付けられてもよい。振動板中心部２４Ａは、したがって、ヘッドホン１００が着用者の耳内に位置付けられたときに、着用者の耳道に直接露出されてもよい。
【００５６】
いくつかの実施例では、アダプタ１０は、マイクロホン１２が振動板の縁部２４Ｂと中心部２４Ａとの間の境界面又は接合部に位置するように構成され、配置される。変換器２０がサラウンドを含む他の実施例では、マイクロホン１２は、サラウンドと振動板２４との間の境界面又は接合部にあってもよい。他の実施例では、マイクロホン１２は、ボビン３３及び／又はボイスコイル３５とスリーブ２２との間に位置付けられ、例えば、振動板の縁部２４Ｂに対して位置合わせされる。他の実施例では、マイクロホン開口部を有するマイクロホン１２の面１３は、スリーブ２２の長手方向に、例えば、ボビン３３、ボイスコイル３５、又は振動板の縁部２４Ｂに対して接線方向に位置合わせされる。また、上方視点から、マイクロホン１２は、マイクロホン開口部が、ボイスコイル３５に囲まれた内部領域に面するように、また、振動板２４、例えば少なくとも中心部２４Ａを露出し、それによって、マイクロホン本体がドライバ及び周囲ノイズ信号を遮断せず、ドライバ信号を最小限の位相の遅れで受信し、同時に耳道に伝送される周囲ノイズを適切に検知できるように、ボイスコイル３５に対して接線方向に位置付けられてもよい。
【００５７】
いくつかの実施例では、フィードバックマイクロホン１２は、前側空洞壁にマイクロホンを固定する必要性を排除し、硬い壁のない前側空洞の存在に備えるため、ドライバアセンブリ２０、例えばドライバアセンブリ２０のバスケットなどと一体であってもよい。ここで、マイクロホン１２及びドライバアセンブリ２０は、先端部などに囲まれ得る。
【００５８】
いくつかの実装形態を説明してきた。それにもかかわらず、前述の説明が、請求項の範囲により規定される本発明の概念の範囲を図説するものであり、限定しないものであることが理解されるであろう。他の実施例は下記の特許請求の範囲内にある。
【符号の説明】
【００５９】
１０  マイクロホンアダプタ
１２  検知用マイクロホン
５０  本体
５１  第１の端部
５３  第２の端部
５５  連結機構
【図１Ａ】
2019524028.tif 000003
【図１Ｂ】
2019524028.tif 000004
【図２Ａ】
2019524028.tif 000005
【図２Ｂ】
2019524028.tif 000006
【図３】
2019524028.tif 000007
【図４】
2019524028.tif 000008
【図５Ａ】
2019524028.tif 000009
【図５Ｂ】
2019524028.tif 000010
【国際調査報告】
2019524028.tif 000011
2019524028.tif 000012
2019524028.tif 000013